(57)【要約】リモコンを用いて階床の設定、あるいは保守作業を遠隔操作により行う操作表示装置を小さく意匠性良くするために、表示用開口６ａを有するフェースプレート６と、表示用開口６ａを塞ぐ透過板７と、配線用開口９ａを有しフェースプレート６の裏面に配置される内部板金９と、内部板金９の表面に表示用開口６ａに面して固定され、ケーブル１０が配線用開口９ａを通して内部板金９の裏面に通される液晶ディスプレイ８と、内部板金９の裏面側にリモコン５からの赤外線５ａを受光する赤外線受光素子１２を備えた。
2020188785.tif 000002
【特許請求の範囲】
【請求項１】
表示用開口を有するフェースプレートと、
前記表示用開口を塞ぐ透過板と、
配線用開口を有し、前記フェースプレートの裏面に配置される内部板金と、
前記内部板金の表面に、前記表示用開口に面して固定され、ケーブルが前記配線用開口を通して前記内部板金の裏面に通される液晶ディスプレイと、
前記内部板金の裏面側に設けられ、リモコンからの赤外線を前記透過板、前記表示用開口及び前記配線用開口を通し、さらに、前記ケーブルを避けた位置に配置されて受光する赤外線受光部と、
を備えたことを特徴とするエレベータの操作表示装置。
【請求項２】
前記配線用開口は、幅を前記液晶ディスプレイより狭く設定され、
前記赤外線受光部は、前記配線用開口の前記幅方向内に配置されている、
ことを特徴とする請求項１に記載のエレベータの操作表示装置。
【請求項３】
前記透過板は、前記配線用開口および前記ケーブルと相対する箇所を前記リモコンの赤外線が透過可能な半透明色とした、ことを特徴とする請求項１に記載のエレベータの操作表示装置。
【発明の詳細な説明】
【技術分野】
【０００１】
この発明は、エレベータの乗場に設置して操作される操作表示装置に関する。
【背景技術】
【０００２】
リモコンを用いて階床の設定、あるいは保守作業を遠隔操作により行う操作表示装置は、赤外線受光部を表面に設けている (たとえば特許文献１、２)。
特許文献１では、複数に分割された表面の一面に赤外線受光部を設けている。特許文献２では、透過板の後方に赤外線受光素子を配置している。また、透過板の下部に光遮蔽部である断面逆Ｕ字形の溝を形成し、赤外線受光素子の前方を開放している。さらに、表示部、赤外線受光素子を含めたインジケータ装置としてかご操作盤の表面に配置している。
【先行技術文献】
【特許文献】
【０００３】
【特許文献１】特開平５−３３０７４８  (第２、３図)
【特許文献２】特開２０１３−１８９２８７  (第１、２図)
【発明の概要】
【発明が解決しようとする課題】
【０００４】
先行文献１では、かごの上昇、下降を表示する方向表示部等と別のユニットとなっているため、操作表示装置自体が大きくなっており、意匠性もよくない。
先行文献２では、表示部を操作表示装置の表面と一体化する場合については記載されていない。表示部と赤外線受光部とを表面に一体化する場合には、それぞれを固定するための部品が必要となる。【０００５】
この発明は上記課題を解決するためになされたもので、コンパクトで意匠性がよい赤外線受光部を設けた操作表示装置を供給することを目的とする。
【課題を解決するための手段】
【０００６】
この発明に係るエレベータの操作表示装置は、表示用開口を有するフェースプレートと、前記表示用開口を塞ぐ透過板と、配線用開口を有し、前記フェースプレートの裏面に配置される内部板金と、前記内部板金の表面に、前記表示用開口に面して固定され、ケーブルが前記配線用開口を通して前記内部板金の裏面に通される液晶ディスプレイと、前記内部板金の裏面側に設けられ、リモコンからの赤外線を前記透過板、前記表示用開口及び前記配線用開口を通し、さらに、前記ケーブルを避けた位置に配置されて受光する赤外線受光部と、を備えている。
【発明の効果】
【０００７】
この発明によれば、コンパクトで意匠性がよい赤外線受光部を設けた操作表示装置を供給することができる。
【図面の簡単な説明】
【０００８】
【図１】この発明の実施の形態１による操作表示装置を乗場に据付けた図である。
【図２】操作表示装置の詳細である。
【図３】操作表示装置の赤外線受光部を表す図である。
【発明を実施するための形態】
【０００９】
以下、この発明の詳細について、上記図面を用いて説明する。
【００１０】
実施の形態１
図１〜図３は、この発明の実施の形態１を説明する。なお、図中同一符号は同一部品を示し、説明を省略する。
図１に操作表示装置４を乗場１に据付けた状態を示している。乗場１の建築壁２にはエレベータの出入口３が設けられている。そして、出入口３の横の建築壁２に操作表示装置４が設けられている。図１では、リモコン５から赤外線５ａを発信して操作表示装置４を操作する状態を示している。
【００１１】
図２に操作表示装置４の表面に設けられたフェースプレート６に配設される機器の構成を示している。フェースプレート６には表示用開口６ａが設けられている。表示用開口６ａは、透過板７により塞がれている。また、フェースプレート６にはスイッチ用開口６ｂも設けられている。このスイッチ用開口６ｂにはアップダウンボタン１１が裏面から配置されている。液晶ディスプレイ８を配設した内部板金９がフェースプレート６の裏面に固定されている。内部板金９は、液晶ディスプレイ８が表示用開口６ａに面して固定されている。そして、内部板金９の裏面に赤外線受光部である赤外線受光素子１２を取付けた基板１３が固定されている。リモコン５から発信された赤外線５ａは、透過板７、表示用開口６ａ、内部板金９、を通り赤外線受光素子１２に受信される。
【００１２】
スイッチ用開口６ｂに配置されるアップダウンボタン１１は、エレベータの上行あるいは下行の呼びを行うボタンである。
【００１３】
透過板７は透明または半透明の板部品であり、液晶ディスプレイ８に写し出されたエレベータの情報が表示される。エレベータの情報とは、かごの上昇、下降、かご位置（階床）等である。また、透過板７は、内部板金９の配線用開口９aとケーブル１０に対面する箇所７ａは半透明色になっている。
【００１４】
内部板金９には液晶ディスプレイ８が配設されている。そして、内部板金９には液晶ディスプレイ８のケーブル１０を裏面に通すための配線用開口９aが設けられている。ケーブル１０は、液晶ディスプレイ８に電源供給・通信を行うためのケーブルである。ここで、ケーブル１０を配線用開口９aに通しても配線用開口９aには隙間１４が残っている。リモコン５から発信された赤外線５ａはこの隙間１４を通過する。
【００１５】
図３に赤外線受光素子１２の配置を示している。図３は、表示用開口６ａから内部板金９方向を見た図である。ケーブル１０を配線用開口９aに通して残された隙間１４部分に赤外線受光素子１２が見える。また、配線用開口９aの幅Ｂは、液晶ディスプレイ８の幅Ａより狭くなっている。
【００１６】
図２ではフェースプレート６に取付けられる機器を示しているが、操作表示装置４を建築壁２に固定する際は、フェースプレート６に取付けられた機器を覆う筺体を設けてもよい。また、操作表示装置４は乗場だけでなく、かご内に設けてもよい。
【００１７】
上記実施の形態１により、以下の効果を得ることができる。
表示用開口６ａを有するフェースプレート６と、表示用開口６ａを塞ぐ透過板７と、配線用開口９ａとを有しフェースプレート６の裏面に配置される内部板金９と、内部板金９の表面に、表示用開口６ａに面して固定され、ケーブル１０が配線用開口９ａを通して内部板金９の裏面に通される液晶ディスプレイ８と、内部板金９の裏面側に設けられ、リモコン５からの赤外線５ａを透過板７、表示用開口６ａ及び配線用開口９ａを通し、さらに、ケーブル１０を避けた位置に配置されて受光する赤外線受光素子１２と、を備えているので、意匠性よくコンパクトに操作表示装置４に赤外線受光部を設けることができる。
【００１８】
また、配線用開口９ａは、幅を液晶ディスプレイ８より狭く設定され、赤外線受光素子１２は、配線用開口９ａの幅方向内に配置されているので、フェースプレート６の幅の最小値が配線用開口９ａの幅及び赤外線受光素子１２の位置によって制約されることがなくなり、操作表示装置４の意匠的な自由度を向上させることができる。
【００１９】
さらに、透過板７は、配線用開口９ａ及びケーブル１０と相対する箇所をリモコン５の赤外線５ａが透過可能な半透明色にしているので、外部から配線用開口９ａおよびケーブル１０が見えることがなく意匠性が向上する。
【符号の説明】
【００２０】
４  操作表示装置、  ５  リモコン、  ５ａ  赤外線、  ６  フェースプレート、  ６ａ  表示用開口、  ６ｂ  スイッチ用開口、  ７  透過板、  ８  液晶ディスプレイ、  ９  内部板金、  ９ａ  配線用開口、  １０  ケーブル、  １１  アップダウンボタン、  １２  赤外線受光素子、  １３  基板、  １４  隙間。
【図１】
2020188785.tif 000003
【図２】
2020188785.tif 000004
【図３】
2020188785.tif 000005
【国際調査報告】
2020188785.tif 000006
2020188785.tif 000007
2020188785.tif 000008
2020188785.tif 000009